(57)【要約】      （修正有）【課題】外部で使用するハーネスが減少し、ハーネスの乱れが軽減され、使い勝手が向上し、使用体験も改善される内部配線のマルチスクリーン表示装置を提供する。【解決手段】内部配線のマルチスクリーン表示装置は、挟持フレーム１０と、回路基板９０と、少なくとも２個の表示ユニット３１、３２とを含む。挟持フレームは、要拡張スクリーンに固定できるように構成されている。回路基板は、挟持フレームの内部に設けられるとともに、要拡張スクリーンのホスト端に接続できるように構成されている。表示ユニットはそれぞれ挟持フレームに回転可能に接続されている。回路基板は、挟持フレーム内のワイヤハーネスを介してそれぞれ表示ユニットに接続されている。ワイヤハーネスは、表示ユニットにデータおよび電力を伝送するように構成されている。挟持フレーム内部に回路基板を設置することにより、外部のハーネスは、表示ユニットを接続する必要がない。【選択図】図１
0003233318.tif 000002
【実用新案登録請求の範囲】
【請求項１】
内部配線のマルチスクリーン表示装置であって、
挟持フレームと、回路基板と、および少なくとも２個の表示ユニットと、を含み、挟持フ
レームは、要拡張スクリーンに固定できるように構成されており、回路基板は、挟持フレ
ームの内部に設けられるとともに、要拡張スクリーンのホスト端に接続できるように構成
されており、表示ユニットはそれぞれ挟持フレームに回転可能に接続されており、回路基
板は、挟持フレーム内のワイヤハーネスを介してそれぞれ表示ユニットに接続されており
、ワイヤハーネスは、表示ユニットにデータおよび電力を伝送するように構成されている
、ことを特徴とする内部配線のマルチスクリーン表示装置。
【請求項２】
ワイヤハーネスの一部分が、挟持フレーム内に設置され、その他の部分が、表示ユニット
中に設置され、表示ユニットと挟持フレームの接続位置からワイヤハーネスが表示ユニッ
ト中に挿入しているように配置されている、ことを特徴とする請求項１に記載の内部配線
のマルチスクリーン表示装置。
【請求項３】
伸縮可能とする挟持フレームは、第１挟持部と第２挟持部に分けられるものであって、第
１挟持部は少なくとも１個の表示ユニットに接続され、第２挟持部は少なくとも１個の表
示ユニットに接続され、回路基板は、第１挟持部または第２挟持部中に設けられ、第１挟
持部と第２挟持部との間は少なくとも１本の横引き棒を介して接続され、第１挟持部と第
２挟持部は、横引き棒の長手方向に沿って相対に摺動可能に構成され、１本の横引き棒内
に横引き棒の長手方向に沿って延伸する少なくとも１個の貫通穴が設けられ、挟持フレー
ム内の少なくとも１本のワイヤハーネスが貫通穴中を貫通している、ことを特徴とする請
求項１に記載の内部配線のマルチスクリーン表示装置。
【請求項４】
横引き棒は、少なくとも上下に平行に２本が備えられており、そのうちの１本の横引き棒
に貫通穴が備えられ、もう１本の横引き棒にラックが備えられ、第１挟持部または第２挟
持部中に１個の歯車が設けられており、歯車とラックとが噛合している、ことを特徴とす
る請求項３に記載の内部配線のマルチスクリーン表示装置。
【請求項５】
上方にある横引き棒の一端が第１挟持部内に固定されるとともに、その他端が第２挟持部
中に挿入されており、上方の横引き棒に貫通穴が設置されており、下方にある横引き棒に
ラックが設置されており、下方の横引き棒の一端が第２挟持部内に固定されるとともに、
その他端が第１挟持部中に挿入されている、ことを特徴とする請求項４に記載の内部配線
のマルチスクリーン表示装置。
【請求項６】
回路基板が第２挟持部の内部に設けられており、ワイヤハーネスが上方の横引き棒の貫通
穴を貫通するとともに、第１挟持部の対応する表示ユニットに接続されている、ことを特
徴とする請求項３に記載の内部配線のマルチスクリーン表示装置。
【請求項７】
貫通穴の下側に貫通穴に直列して連通する１本の開口溝が設けられており、開口溝の一端
の内部にプラグが設けられており、プラグは、ワイヤハーネスを貫通穴に制限するように
構成されている、ことを特徴とする請求項３に記載の内部配線のマルチスクリーン表示装
置。
【請求項８】
開口溝の内壁に開口溝の長手方向に沿って延伸する凹溝が設けられており、プラグに、対
応して凹溝中に挿入する条形凸起が設けられている、ことを特徴とする請求項７に記載の
内部配線のマルチスクリーン表示装置。
【請求項９】
回路基板に少なくとも１個の挿入口が設けられており、挿入口は、外部のワイヤハーネス
を挿接できるように構成されるとともに、外部のワイヤハーネスを介して要拡張スクリー
ンのホスト端に接続されている、ことを特徴とする請求項１に記載の内部配線のマルチス
クリーン表示装置。
【請求項１０】
挟持フレームの正面に凹溝箇所が設けられており、凹溝箇所の側壁にバッフルが設けられ
ており、挟持フレームが要拡張スクリーンを挟持する時は、要拡張スクリーンが凹溝箇所
内に位置し、かつバッフルが要拡張スクリーンの縁部上を被っているように構成されてい
る、ことを特徴とする請求項１に記載の内部配線のマルチスクリーン表示装置。
【考案の詳細な説明】
【技術分野】
【０００１】
実用新案は、多画面拡張表示製品に関し、具体的には、内部配線のマルチスクリーン表示
装置に関連する。
【背景技術】
【０００２】
よくあるパソコンはデスクトップとノートパソコンがあります。普通のコンピュータは少
なくとも一つのディスプレイ画面があります。画面を拡張する必要がある場合は、プロジ
ェクターを使ったり、ビデオデータ線を使って他の複数の単独スクリーンに接続したりし
てマルチスクリーン表示を実現します。プロジェクターを使うには十分な大きな投影面が
必要で、多くの場合、使用条件を満たすことができない。複数の単独スクリーンを使って
マルチスクリーン表示をすると、購入コストが高くなります。また、ディスプレイの固定
には別途の操作が必要で、携帯にも不便です。このため、既存のノートパソコンのディス
プレイの後ろに固定できる携帯型表示装置が登場し、回転して角度を調節できる２つの拡
張画面が用意されています。従来の技術では、２つの拡張画面はそれぞれ１つのデータ線
でノートパソコンに接続する必要があります。そのため、ノートパソコンで２本のデータ
線を接続し、テーブルの上に多くの線束を置いて乱雑になります。使用体験がよくないの
で、改善が必要です。
【考案の概要】
【０００３】
この実用新案の目的は、従来技術の以上の欠陥を克服し、内部配線のマルチスクリーン表
示装置を提供し、外部で使用される配線を低減して、使用体験を改善することにある。
上記の目的を実現するために、本考案は以下の技術方案を採用する。
【０００４】
内部配線引き回し・布線のマルチスクリーン表示装置は、挟持フレームと、回路基板と、
および少なくとも２個の表示ユニットとを含む。挟持フレームは、要拡張スクリーンに固
定できるように構成されている。回路基板は、挟持フレームの内部に設けられるとともに
、要拡張スクリーンのホスト端に接続できるように構成されている。表示ユニットはそれ
ぞれ挟持フレームに回転可能に接続されている。回路基板は、挟持フレーム内のワイヤハ
ーネスを介してそれぞれ表示ユニットに接続されている。ワイヤハーネスは、表示ユニッ
トにデータおよび電力を伝送するように構成されている。
【０００５】
ワイヤハーネスの一部分が、挟持フレーム内に設置され、その他の部分が、表示ユニット
中に設置されている。表示ユニットと挟持フレームの接続位置からワイヤハーネスが表示
ユニット中に挿入しているように配置されている。
【０００６】
伸縮可能とする挟持フレームは、第１挟持部と第２挟持部に分けられるものであって、第
１挟持部は少なくとも１個の表示ユニットに接続され、第２挟持部は少なくとも１個の表
示ユニットに接続される。回路基板は、第１挟持部または第２挟持部中に設けられている
。第１挟持部と第２挟持部との同士間は少なくとも１本の横引き棒を介して接続されてい
る。第１挟持部と第２挟持部は、横引き棒の長手方向に沿って相対に摺動可能に構成され
ている。１本の横引き棒内に横引き棒の長手方向に沿って延伸する少なくとも１個の貫通
穴が設けられている。挟持フレーム内の少なくとも１本のワイヤハーネスが貫通穴中を貫
通している。
【０００７】
横引き棒は、少なくとも上下に平行する２本が備えられている。そのうちの１本の横引き
棒に貫通穴が備えられ、もう１本の横引き棒にラックが備えられ、第１挟持部または第２
挟持部中に１個の歯車が設けられており、歯車とラックとが噛合している。
【０００８】
上方にある横引き棒の一端が第１挟持部内に固定されるとともに、その他端が第２挟持部
中に挿入されている。上方の横引き棒に貫通穴が設置されている。下方にある横引き棒に
ラックが設置されている。下方の横引き棒の一端が第２挟持部内に固定されるとともに、
その他端が第１挟持部中に挿入されている。
【０００９】
回路基板が第２挟持部の内部に設けられている。ワイヤハーネスが上方の横引き棒の貫通
穴を貫通するとともに、第１挟持部の対応する表示ユニットに接続されている。
【００１０】
貫通穴の下側に貫通穴に直列して連通する１本の開口溝が設けられている。開口溝の一端
の内部にプラグが設けられている。プラグは、ワイヤハーネスを貫通穴に制限するように
構成されている。
【００１１】
開口溝の内壁に開口溝の長手方向に沿って延伸する凹溝が設けられている。プラグに、対
応的に凹溝中に挿入する条形凸起が設けられている。
【００１２】
回路基板に少なくとも１個の挿入口が設けられている。挿入口は、外部のワイヤハーネス
を挿接できるように構成されるとともに、外部のワイヤハーネスを介して要拡張スクリー
ンのホスト端に接続されている。
【００１３】
挟持フレームの正面に凹溝箇所が設けられている。凹溝箇所の側壁にバッフルが設けられ
ている。挟持フレームが要拡張スクリーンを挟持する時は、要拡張スクリーンが凹溝箇所
内に位置し、かつバッフルが要拡張スクリーンの縁部上を被っているとするように構成さ
れている。
【００１４】
本実用新案は、既存技術と比較して、挟持フレーム内部に回路基板を設置することにより
、回路ボードがそれぞれ内部のハーネスで少なくとも2つの表示ユニットを接続すること
により、外部のハーネスは、表示ユニットをそれぞれ接続する必要がなくても、回路ボー
ドに直接接続できる効果がある。そのため、外部で使用するハーネスが減少し、ハーネス
の乱れが軽減され、拡張画面の本体端にもあまり接続しないようにして、使い勝手が向上
し、使用体験も改善された。
【００１５】
また、回路基板の差し込みの内部線束はバーの穴から貫通し、チャックが突き出ている間
は、ハーネスが直接観測されず、製品全体の一体性が改善され、さらにワイヤーの束が有
効に保護されます。
【００１６】
上記の説明は、本考案の概要のみであり、本考案の技術的手段をよりよく知るために、説
明書の内容に従って実施することができ、本考案の上記及び他の目的、特徴及び利点をよ
り明確に分かりやすくするために、以下の実施例を挙げて詳細に説明する。
【図面の簡単な説明】
【００１７】
【図１】本実用新案のマルチスクリーン表示装置の斜視図である。
【図２】本実用新案のチャックと前方表示ユニットの斜視図である。
【図３】本実用新案のチャックと後方表示ユニットの斜視図である。
【図４】本考案の挟持フレームの解図である。
【図５】本実用新案の挟持フレームと後方表示ユニットの分解図である。
【図６】本実用新案の挟持フレームと前方表示ユニットの分解図である。
【図７】本実用新案のうちの１本のワイヤハーネスと横引き棒の分解図である。
【考案を実施するための形態】
【００１８】
本実用新案の目的、技術案及び利点をより明確にするために、以下、図面及び具体的な実
施形態に関連して本考案をより詳細に説明する。
【００１９】
以下、本実用新案の実施形態における図面に関連して、本実用新案の実施形態における技
術的な態様を明確かつ完全に説明するが、説明した実施形態は、全ての実施形態ではなく
、本実用新案の一部の実施形態にすぎないことは明らかである。本実用新案における実施
例に基づいて、当業者は、創造的労働がなされていないことを前提として取得した他のす
べての実施形態は、本実用新案保護の範囲に属する。
【００２０】
本実用新案の説明において、用語「中心」、「縦」、「横」、「長さ」、「幅」、「厚み
」、「上」、「下」、「前」、「後」、「左」、「右」、「垂直」、「水平」、「頂点」
、「底」、「内」、「外」、「時計回り」「反時計回り」などが示す方位や位置関係は、
図に示す方位や位置関係に基づくものであり、本実用新案や簡略化された説明を説明する
ためだけに用いられ、指示や暗示ではなく、指す装置や要素が特定の方位を有し、特定の
方位構造や動作をしなければならないことを意味するのではなく、本実用新案に対する制
限とは理解できない。
【００２１】
さらに、「第一」、「第二」という用語は、説明の目的だけに用いられ、相対的な重要性
を示すか、または、指示された技術的特徴を暗黙的に示す数として理解してはならない。
したがって、「第一」、「第二」と限定された特徴は、この特徴を明示的または暗黙的に
含むことができる。本実用新案の説明では、「複数」の意味は、特に具体的な限定がない
限り、２つ以上である。
【００２２】
本明細書の説明では、参照用語「一実施形態」、「いくつかの実施形態」、「例」、「具
体例」、または「いくつかの例」などの説明は、本実施形態または例に関連して説明した
具体的な特徴、構造、材料、または特徴を本実用新案の少なくとも一実施形態または例に
含めることを意味する。本明細書では、上述した用語の概略的な表現は、同じ実施形態ま
たは例を対象としなければならないと理解されるべきではない。さらに、説明された具体
的な特徴、構造、材料または特徴は、任意の１つまたは複数の実施形態または例において
適切な方法で結合されてもよい。さらに、当業者は、本明細書に記載の異なる実施形態ま
たは例を組み合わせてもよい。
【００２３】
第一実施形態
第一実施例は、マルチスクリーン表示装置である。図１に示すように、マルチスクリーン
表示装置は、挟持フレーム１０と、回路基板９０と、表示ユニット３１と、および表示ユ
ニット３２とを含む。表示ユニット３１と表示ユニット３２はそれぞれ挟持フレーム１０
の側辺に回転可能に接続されている。挟持フレーム１０は、要拡張スクリーン上を挟持で
きるように構成されている。回路基板９０は、挟持フレーム１０の内部に設けられるとと
もに、外部のワイヤハーネスを介して要拡張スクリーンのホスト端に接続可能に構成され
ている。回路基板９０は挟持フレーム１０内のワイヤハーネスを介してそれぞれ表示ユニ
ット３１と表示ユニット３２に接続されている。回路基板９０はワイヤハーネスを介して
表示ユニット３１と表示ユニット３２にデータと電力を伝送するように構成されている。
このように構成されると、マルチスクリーン表示装置に外部から挿接されるワイヤハーネ
スを減少し、ワイヤハーネスの乱れを軽減することができる。要拡張スクリーンのホスト
端には数多くのワイヤハーネスを挿接する必要もなく、便利性が向上し、ユーザーエクス
ペリエンスも向上する。要拡張スクリーンとは、ノートパソコンのスクリーンをいう。
【００２４】
第一実施例において、図１に示す挟持フレーム１０は、相対に直線的摺動する左右両部分
に分けて要拡張スクリーンを挟持する。回路基板９０は右側の部分に設けられている。他
の実施例では、挟持フレームは、分体型としなくてもよくて、該挟持フレームは、クリッ
プによって要拡張スクリーンの縁部を挟持してもよい。この場合、表示ユニットを挟持フ
レームから引き出して、また回動させるように構成されてもよく、回路基板を一体型の挟
持フレーム中に設置し、内部のワイヤハーネスを回路基板からずっと表示ユニットまで延
伸接続するように配置されてもよい。
【００２５】
他の実施形態では、表示ユニットは２つより多くてもよく、例えば、２つのブロックの小
さい表示ユニットとチャックの上にヒンジしてチャックの後方向から回転してもよく、左
側と右側はそれぞれ２つのブロックの大きい表示ユニットを接続しても良い。
【００２６】
第二実施形態
第二実施形態は、マルチスクリーン表示装置である。図１に示すように、マルチスクリー
ン表示装置は、挟持フレーム１０と、回路基板９０と、表示ユニット３１と、および表示
ユニット３２とを含む。表示ユニット３１と表示ユニット３２はそれぞれ挟持フレーム１
０の側辺に回転可能に接続されている。挟持フレーム１０は、要拡張スクリーン上を挟持
できるように構成されている。回路基板９０は、挟持フレーム１０の内部に設けられると
ともに、外部のワイヤハーネスを介して要拡張スクリーンのホスト端に接続可能に構成さ
れている。回路基板９０は挟持フレーム１０内のワイヤハーネスを介してそれぞれ表示ユ
ニット３１と表示ユニット３２に接続されている。回路基板９０はワイヤハーネスを介し
て表示ユニット３１と表示ユニット３２にデータと電力を伝送するように構成されている
。このように構成されると、マルチスクリーン表示装置に外部から挿接されるワイヤハー
ネスを減少し、ワイヤハーネスの乱れを軽減することができる。要拡張スクリーンのホス
ト端には数多くのワイヤハーネスを挿接する必要もなく、便利性が向上し、ユーザーエク
スペリエンスも向上する。要拡張スクリーンとは、ノートパソコンのスクリーンをいう。
【００２７】
図１に示されるように、伸縮可能とする挟持フレーム１０は、第１挟持部１１と第２挟持
部１２に分けられる。第１挟持部１１は表示ユニット３１に枢接されるが、第２挟持部１
２は表示ユニット３２に枢接されている。回路基板９０は第２挟持部１２の内部に設けら
れている。第１挟持部１１と第２挟持部１２の同士間は上下に平行する２本の横引き棒１
３および横引き棒１４によって接続されている。第１挟持部１１と第２挟持部１２は、横
引き棒１３および横引き棒１４の長手方向に沿って相対摺動可能に構成されている。これ
によって、挟持フレーム１０の挟持幅度は、異なる寸歩のノートパソコンスクリーンに適
応するために、調整可能となっている。下方の横引き棒１４に上向きのラック１４１が設
けられている。下方の横引き棒１４は、その一端が第２挟持部１２内に固定されるととも
に、その他端が第１挟持部１１中に挿入されている。第１挟持部１１中に１個の歯車１５
が設けられている。歯車１５とラック１４１とが噛合している。上方の横引き棒１３は、
その一端が第１挟持部１１内に固定されるとともに、その他端が第２挟持部１２中に挿入
されている。
【００２８】
図２に示されるように、挟持フレーム１０の正面に、凹溝箇所１６が設けられている。凹
溝箇所１６の隣り合う両側壁にいずれもバッフル１７が設けられている。挟持フレーム１
０が要拡張スクリーンを挟持しているときは、要拡張スクリーンが凹溝箇所１６内に位置
し、要拡張スクリーンの縁部がバッフル１７と凹溝箇所１６の底面との間に挿入し、かつ
、バッフル１７が要拡張スクリーンの縁部上を被っているとするように構成されている。
バッフル１７と凹溝箇所１６の底面との間の幅は、市販されているほとんどのノートパソ
コンスクリーンの厚度より大きくすればよい。図２において、凹溝箇所１６の右側に、表
示ユニット３２を避けるために、上下に延伸する側壁が設けられていなく、凹溝箇所１６
の右上隅に１個の内角１６２がなされ、右下隅に係り口１６３が設けられており、内角１
６２と係り口１６３はいずれも要拡張スクリーンの右側縁部上を被ることができるように
構成されている。
【００２９】
図２に示されるように、挟持フレーム１０において、表示ユニット３２を回動閉合すると
、表示ユニット３２が凹溝箇所１６中に収められる。このため、閉合後の装置全体の厚度
を減少する。凹溝箇所１６の表面に１本のスポンジ緩衝筋１６４が設けられている。これ
によって、表示ユニット３２が凹溝箇所１６内へ閉合する時に、底面に当たることがない
。このため、ノイズを減少できるし、摩擦による損害も低減できる。挟持フレーム１０内
にさらに磁石が設けられている。それにより生じる磁気力によって凹溝箇所１６へ閉合す
る表示ユニット３２を固定する。
【００３０】
図３に示されるように、挟持フレーム１０の裏側にも１個の凹溝箇所１８が設けられてい
る。それは、閉合した表示ユニット３１を収納するために用いられる。それによって、閉
合した装置全体の厚度を減少することができる。凹溝箇所１８の表面に１本のスポンジ緩
衝筋１８１が設けられている。これによって、表示ユニット３１が凹溝箇所１８内へ閉合
する時に、底面に当たることがない。このため、ノイズを減少できるし、摩擦による損害
も低減できる。挟持フレーム１０内にさらに磁石が設けられている。それにより生じる磁
気力によって凹溝箇所１８へ閉合する表示ユニット３１を固定する。
【００３１】
図４は、挟持フレーム１０の分解図を示している。挟持フレーム１０内にワイヤハーネス
４１およびワイヤハーネス４２が備えられている。横引き棒１３に、横引き棒１３の長手
方向に沿って延伸する貫通穴１３１が設けられている。１本のワイヤハーネス４１は、上
方の横引き棒１３の貫通穴１３１を貫通して、第１挟持部１１の対応する表示ユニット（
図４に示めず）に接続するように構成されている。ワイヤハーネス４１の内端の端末４１
１が回路基板９０上へ挿接して、さらに横引き棒１３の貫通穴１３１に挿入するように配
置されている。ワイヤハーネス４１の内端の端末４１１と横引き棒１３との間に、十分の
空間が残されるように配置されることで、挟持フレーム１０の完全展開際に、ワイヤハー
ネス４１に引き力が生じて損害が発生することを回避することができる。上方の横引き棒
１３は、第１挟持部１１内で３個のネジによって固定されるが、横引き棒１３の他端が第
２挟持部１２中に挿入するとともに第２挟持部１２内で移動可能に構成されている。横引
き棒１３に長手方向に沿って延伸する案内穴１３２が設けられ、前板１９１に案内ブロッ
クが設けられている。案内ブロックが案内穴１３２中に挿入することで、横引き棒１３を
水平的往来移動に制限させる。第１挟持部１１中の一端で横引き棒１３の貫通穴１３１か
らワイヤハーネス４１が通り出して、さらに第１挟持部１１の１個のＬ型案内溝１９３に
進入するように配置されている。案内溝１９３から出てくるワイヤハーネス４１が、挟持
フレーム１０の第１挟持部１１と表示ユニットとの接続位置１９４まで水平に延伸するよ
うに配置されている。図５に示すように、挟持フレーム１０の第１挟持部１１と表示ユニ
ット接続位置１９４から通り出したワイヤハーネス４１が、表示ユニット３１の上方の軸
口３１１から表示ユニット３１中に挿入し、ひいては、ワイヤハーネス４１の外端の端末
４１２が表示ユニット３１の内部コンポーネントへ挿接するように配置されている。
【００３２】
図４に示されるように、２番目のワイヤハーネス４２の内端端末４２１が回路基板９０上
へ挿接するように配置されている。ワイヤハーネス４２は、直接に挟持フレーム１０の第
２挟持部１２と表示ユニットの接続位置１９５まで延伸して通り出すように配置されてい
る。図６に示すように、挟持フレーム１０の第２挟持部１２と表示ユニット３２の接続位
置から通り出したワイヤハーネス４２が、表示ユニット３２の上方の軸口３２１から表示
ユニット３２中に挿入し、ワイヤハーネス４２の外端の端末４２２が表示ユニット３２の
内部コンポーネントへ挿接するように配置されている。
【００３３】
図４に示されるように、下方の横引き棒１４の一端が３個のネジによって第２挟持部１２
中に固定されるが、その他端が第１挟持部１１に挿入されるように構成されている。下方
の横引き棒１４が、長手方向に沿って延伸する案内穴１４２が設けられ、裏板１９２に案
内ブロック１９６が設けられ、案内ブロック１９６が案内穴１４２中に貫通することで、
横引き棒１４を水平的往来移動に制限させる。図４の前板１９１の案内ブロック形状と、
裏板１９２の案内ブロック１９６の形状とが一致する。
【００３４】
図４に示されるように、回路基板９０に、並列的に２個の挿入口９０が設けられている。
挿入口９１は、外部ワイヤハーネスを挿接するとともに、外部ワイヤハーネスを介して要
拡張スクリーンのホスト端に接続されるように構成されている。
【００３５】
図７に示されるように、横引き棒１３の貫通穴１３１の下側に貫通穴１３１に直列して連
通する１本の開口溝１３３が設けられている。開口溝１３３の一端の内部にプラグ１３５
が設けられている。プラグ１３５は、ワイヤハーネス４１を貫通穴１３１の一端のに制限
するために用いられる。そのため、ワイヤハーネス４１が貫通穴１３１から抜き出される
ことがない。開口溝１３３の内壁に開口溝１３３の長手方向に沿って延伸する凹溝１３４
が設けられ、プラグ１３５に凹溝１３４に対応的に挿入する条形凸起１３６が設けられて
いる。
【００３６】
他の実施形態では、横引き棒は１本だけ設置してもよく、横引き棒を中間位置に配置して
、横引き棒の幅を大きくすることができる。もちろん、横引き棒も２つ以上設置してもよ
い。１本以上の線束を通す必要がある場合、横引き棒内に複数の穴を設けたり、１つ以上
の横引き棒にそれぞれ穴を設けたりすることができます。同じ横引き棒に穴とラックを設
置することもできます。
【００３７】
他の実施形態では、第１挟持部は、１ブロック以上の表示ユニットに接続することができ
、第２挟持部は、１ブロック以上の表示ユニットに接続することができる。他の実施例で
は、第１挟持部と第２挟持部との構造を水平に合わせて調整しても良いし、回路ボードを
第１挟持部にセットし、第２挟持部にギアをセットし、両の横引き棒の固定位置も水平に
合わせて、ハーネスの配置も対応して調整しても良い。
【００３８】
上述した本考案の技術内容は、実施の形態に限定されるものではないが、本実用新案の実
施の形態はこれに限定されるものではなく、本考案による技術拡張または再創造は、すべ
て本考案によって保護されている。本実用新案の保護範囲は、請求の範囲に準ずる。
【図１】
0003233318.tif 000003
【図２】
0003233318.tif 000004
【図３】
0003233318.tif 000005
【図４】
0003233318.tif 000006
【図５】
0003233318.tif 000007
【図６】
0003233318.tif 000008
【図７】
0003233318.tif 000009